(57)【特許請求の範囲】
【請求項１】
ハウジングと、
ハウジングの前方のガードと、
ハウジングの後方のキャップと、
ガードとキャップとの間でハウジングに支持され、それぞれ切断縁を有する複数の平行な刃と、
を備え、
前記ガードは、前記切断縁に全体的に平行に配置された第１群及び第２群の細長い弾性フィンの複数の列を含み、
前記第２群は、前記第１群よりも前記刃に近く、
前記第１群は、第１寸法の全体に均一のベース−先端高さを有する先端を有し、
前記第２群は、第２寸法の全体に均一のベース−先端高さを有する先端を有し、
前記第２寸法は、前記第１寸法の５分の１よりも小さい
ことを特徴とする髭剃りカミソリの刃ユニット。
【請求項２】
ハウジングと、
ハウジングの前方のガードと、
ハウジングの後方のキャップと、
ガードとキャップとの間でハウジングに支持され、それぞれ切断縁を有する複数の平行な刃と、
を備え、
前記ガードは、前記切断縁に全体的に平行に配置されると共に０．１５ｍｍよりも小さいベース−先端高さを有している、細長い弾性フィンの複数列を含んでいる
ことを特徴とする髭剃りカミソリの刃ユニット。
【請求項３】
前記第２寸法は、０．１５ｍｍよりも小さい
ことを特徴とする請求項１に記載の刃ユニット。
【請求項４】
前記フィンは、先端において、フィンの幅の２分の１である曲率半径を有している
ことを特徴とする請求項１または２に記載の刃ユニット。
【請求項５】
前記第２群のフィンは、前記刃と接触する前の使用者の肌によって接触される最終の肌係合構造である
ことを特徴とする請求項１に記載の刃ユニット。
【請求項６】
前記第２群は、少なくとも３つのフィンを含んでいる
ことを特徴とする請求項１に記載の刃ユニット。
【請求項７】
少なくとも３つのフィンが存在する
ことを特徴とする請求項２に記載の刃ユニット。
【請求項８】
前記第１群のフィンの幾つかは、前記切断縁を貫通する平面の上方に先端を有しており、
前記第１群のフィンの幾つかは、前記平面の下方に先端を有している
ことを特徴とする請求項１に記載の刃ユニット。
【請求項９】
前記第２群のフィンは、前記平面上に先端を有している
ことを特徴とする請求項１に記載の刃ユニット。
【請求項１０】
前記第１群のフィンの前記先端は、０．４ｍｍと０．８ｍｍとの間の高さを有している
ことを特徴とする請求項１に記載の刃ユニット。
【請求項１１】
前記第１群の前記フィンは、１４度よりも小さい先端角度を有している
ことを特徴とする請求項１に記載の刃ユニット。
【請求項１２】
前記第１群の第１フィンから前記第１群の最終フィンまでの距離は、２．０ｍｍと３．５ｍｍとの間である
ことを特徴とする請求項１に記載の刃ユニット。
【請求項１３】
第１群のフィンは、先導群のフィンと追従群のフィンとを含んでおり、
前記追従群は、前記先導群よりも前記刃に近く、
前記先導群は、前記切断縁を貫通する平面に対して増大する高さを有する先端を有しており、
前記追従群は、前記平面に対して全体に均一位置の先端を有している
ことを特徴とする請求項１に記載の刃ユニット。
【発明の詳細な説明】
【０００１】
本発明は、そのための改良されたガードを有する髭剃りカミソリ及び刃ユニットに関する。
【０００２】
髭剃りカミソリは、しばしば、ハンドルと、交換可能なカートリッジと、からなり、交換可能なカートリッジ内では、１以上の刃がプラスチックハウジング内に取り付けられている。米国特許第５９１８３６９号は、ハンドルに順に接続される相互接続部材に回動可能に接続される刃ユニットを有する交換可能なカートリッジを含む髭剃りカミソリを開示している。当該刃ユニットは、肌面と係合する刃の前方に弾力フィンを有すると共に刃の後方に潤滑ストリップを有するガードを含んでいる。
【０００３】
一つの特徴において、本発明は、全体に、複数の刃と、当該刃の切断縁に全体に平行に配置された細長の弾性フィンの２群の列を含む一つのガードと、を有する髭剃りカミソリ刃ユニットを特徴とする。フィンの第１群は、第１の大きさの全体に均一のベース−先端高さを有する先端部を有しており、第２群は、第２の大きさの全体に均一のベース−先端高さを有する先端部を有しており、第２の大きさは、第１の大きさの５分の１より小さい。
【０００４】
別の特徴において、本発明は、全体に、複数の刃と、切断縁に全体に平行に配置され、０．１５ｍｍより小さいベース−先端高さを有する細長の弾性フィンの複数の列を含む一つのガードと、を有する髭剃りカミソリ刃ユニットを特徴とする。
【０００５】
別の特徴において、本発明は、全体に、複数の刃と、切断縁に全体に平行に配置され、刃と接触する前に使用者の肌に接触される最後の肌係合構造である、細長の弾性フィンの複数の列を含む一つのガードと、を有する髭剃りカミソリ刃ユニットを特徴とする。
【０００６】
本発明の特別な実施の形態が、１以上の以下の特徴を含み得る。２群の実施の形態において、及び、フィンが刃の前方の最後の構造である実施の形態において、フィンは、０．１５ｍｍより小さいベース−先端高さを有する小フィンである。好適には、これらの小フィンは、０．０６と０．０８ｍｍとの間のベース−先端高さを有する。好適には、各群において、少なくとも３つのフィンが存在する。
【０００７】
２群の実施の形態において、第１群のフィンの幾つかは、切断縁を通過する平面の上方に先端を有し、第１群のフィンの幾つかは、当該平面の下方に先端の幾つかを有し、フィンの第２群は、ある平面上に先端を有する。
【０００８】
フィンの第１群の先端は、０．４ｍｍと０．８ｍｍとの間の高さを有しており、最も好ましくは、０．６ｍｍと０．７ｍｍとの間である。第１群のフィンは、１４度よりも小さい、最も好適には約１２度の、先端角度（included angle）を有している。第１群の最初のフィンから第１群の最後のフィンまでの距離は、２．０ｍｍと３．５ｍｍとの間である。フィンの第１群は、フィンの先導群とフィンの追従群とを含み、前記先導群は、切断縁を通過する平面に対して増大する高さ（elevation ）を有する先端群を有しており、前記追従群は、当該平面に対して相対的に全体に均一な位置の先端群を有している。
【０００９】
好適には、刃は、ハウジングに対して可動に取り付けられている。好適には、刃ユニットは、刃がハンドルに対して回動することを許容するように、回動構造に接続されている。
【００１０】
他の特徴において、本発明は、ハンドルと、ハンドルに接続された前述のような刃ユニットと、を含む髭剃りカミソリを特徴とする。
【００１１】
本発明の実施の形態は、以下の利点の１以上を含み得る。フィンは、刃の前方で肌を刺激して広げる傾向があり、毛の切断のための肌の快適さ及び適切な位置決めを改良する結果となる。最初の刃による係合前の最後の肌接触部材として弾力構造を与えるフィンは、肌を広げることを改良するように、及び、快適さを改良するように作用する。加えて、使用者は、最初の刃の露出の幾何状態及び刃の正接角（tangent angle ）を、刃の前の最後の肌接触構造である弾性フィンをより強く押すことで、調整することができる。２つの群の実施の形態において、フィンの高さ(elevation )を増大することは、肌の接触を徐々に増大する結果となり、その先端を髭剃り中の肌の流れに対して順応させる。大きいフィンの狭い先端角度のプロフィルは、フィンの柔軟性を改良する。そのことは、肌を広げることを助け、それによって改良された切断のために毛を準備させる。多数のフィンを使用することは、肌との係合を改良する。
【００１２】
本発明の他の利点及び特徴は、その好適な実施の形態の以下の記述から明らかである。
【００１３】
図１は、髭剃りカミソリの斜視図である。
【００１４】
図２は、図１のカミソリの交換可能なカートリッジの斜視図である。
【００１５】
図３は、図２の交換可能なカートリッジの刃ユニットの縦断面図である。
【００１６】
図４は、図３の刃ユニットのガードの縦断面図である。
【００１７】
図５は、図４のガードの小フィンの拡大部分縦断面図である。
【００１８】
図１及び図２を参照して、髭剃りカミソリ１０は、ハンドル１２と交換可能な髭剃りカートリッジ１４とを含んでいる。図２に示すように、カートリッジ１４は、ハンドル１２から取り外し可能である。カートリッジ１４は、ハウジング１６を含んでおり、それは３つの刃１８、ガード２０及びキャップ２２を保持している。カートリッジ１４はまた、相互接続部材２４を含んでおり、ハウジング１６は、その上に回動軸回りに回動可能に取り付けられている。相互接続部材２４は、ハンドル１２に接続されるベース２７を含んでいる。ベース２７は、その２つの側部でハウジング１６を回動可能に支持する２つのアーム２８を有している。
【００１９】
図３及び図４を参照して、ガード２０は、大フィン３４の２つの群３０、３２と、小フィン３６の更なる群と、を含んでいることが理解される。ガード２０は、ショアＡ硬度３０乃至６０（好適には４０乃至５０、最も好適には約４９）を有する材料で作られている。値が当該範囲を上回って増大される時、性能が低下する傾向にある。値が当該範囲を下回って減少される時、製造上の問題が存在し得る。大フィンの各群３０、３２は、好適には、少なくとも３つのフィン、最も好適には約４つのフィンを含んでいる。先導群の大フィン３０の先端４０は、平面４２に対して、高さ（elevation ）において増大している。当該平面４２は、刃１８の切断縁を貫通する。一方、追従群の大フィン３２の先端４４は、均一の高さ（elevation ）を有している。先導群の大フィン３０の先端４０を貫通する線は、平面４２と１４度の角度をなしている。先導群の大フィン３０の先端４０の群は、平面４２の下方の幾つかの先端と、平面４０の上方の幾つかの先端と、を含んでいる。追従群の大フィン３２の先端４４は、全て平面４０の上方、好適には平面４２の上方約０．２２ｍｍ、にある。フィン３４は、０．４ｍｍ乃至０．８ｍｍ（より好適には０．６ｍｍと０．７ｍｍとの間、最も好適には約０．６６ｍｍ）の先端−ベース高さ「ｈ」を有し、０．１５乃至０．２５ｍｍ（最も好適には０．１９ｍｍ）のベース厚みを有し、１４度より小さい、好適には約１２度の先端角度を有しており、約０．３９ｍｍによって中心から中心まで離れている。第１フィン３４の前方から最終フィン３４の後方までのベースにおける距離は、２．９５ｍｍである。あるいは、当該距離は、２．０ｍｍ乃至３．５ｍｍであり得る。
【００２０】
図５を参照して、小フィン３６の群は、平面４２に対して均一な高さを有している。それらは、０．１５ｍｍより小さい、好適には０．０６ｍｍ乃至０．０８ｍｍ（最も好適には０．０６５ｍｍ）の高さｈと、０．０４ｍｍ乃至０．０３ｍｍ（好適には約０．０６ｍｍ）のベース厚みと、ベースの半分（好適には０．０３ｍｍ）の先端半径と、を有し、０．０５ｍｍと０．１５ｍｍとの間、最も好適には約１．０ｍｍ、の距離によって中心から中心まで離れている。第２群の小フィン３６のベース−先端高さは、好適には、大フィン３０、３２のベース−先端高さの１／５より小さい。フィン３６の下の弾性部分の少なくとも一部が、好適には、ハウジング１６の硬プラスチックによって支持されている。好適には、フィンの先端からプラスチックハウジング１６の先端までの距離は、約０．１ｍｍ乃至０．３ｍｍ（最も好適には約０．１５ｍｍ）である。フィン３６の先端は、平面４２上方の約０．０７ｍｍである。フィン３６は、刃１８との接触前に、使用者の肌により接触される最終の肌係合構造である。
【００２１】
使用中、大フィン３０及び３２は、刃の前方で肌を刺激して伸ばすことになり、快適さ及び毛の切断のための肌の適切な位置決めを改善する。フィン３０の増大する高さが、徐々に肌接触を増大させる。フィン３２の均一な高さが、一定の肌接触を提供する。狭い１２度のプロフィル（横輪郭）が、フィンの柔軟性を改良する。多数（例えば６より大きい、好適には約８）のフィンの使用が、肌係合を改善する。
【００２２】
小フィン３６は、第１の刃による係合前の最終の肌接触部材として、弾性構造を提供し、肌伸ばしを改良して快適さを改良する。加えて、使用者は、第１刃の露出の幾何関係及び刃の正接角を、弾性フィンをより強く押して圧縮することによって調節することができる。
【００２３】
本発明の他の利点は、添付の請求の範囲の範囲内である。
【図面の簡単な説明】
【図１】  髭剃りカミソリの斜視図である。
【図２】  図１のカミソリの交換可能なカートリッジの斜視図である。
【図３】  図２の交換可能なカートリッジの刃ユニットの縦断面図である。
【図４】  図３の刃ユニットのガードの縦断面図である。
【図５】  図４のガードの小フィンの拡大部分縦断面図である。
【図１】
0004707917.tif 000002
【図２】
0004707917.tif 000003
【図３】
0004707917.tif 000004
【図４】
0004707917.tif 000005
【図５】
0004707917.tif 000006